(57)【要約】【課題】  着用者の歩行時の姿勢を改善することができる靴下を提供する。【解決手段】  靴下１００は、５つの指袋１（第１指袋１ａ、第２指袋１ｂ、第３指袋１ｃ、第４指袋１ｄ、第５指袋１ｅ）と、当該隣り合う指袋１間の指股部２（第１指股部２ａ、第２指股部２ｂ、第３指股部２ｃ、第４指股部２ｄ）と、指股部２の付け根に配設され、ベース生地に対して編目が大きい編組織で編成される指股付根部３（第１指股付根部３ａ、第２指股付根部３ｂ、第３指股付根部３ｃ、第４指股付根部３ｄ）を備える。【選択図】        図１
0003190956.tif 000002
【実用新案登録請求の範囲】
【請求項１】
５つの指袋と、当該隣り合う指袋間の指股部と、を備える靴下において、
前記指股部の付け根に配設され、ベース生地に対して編目が大きい編組織で編成される指股付根部を備えることを特徴とする靴下。
【請求項２】
請求項１に記載の靴下において、
前記指股部が、ベース生地に対して編目が大きい編組織で編成されることを特徴とする靴下。
【請求項３】
前記請求項２に記載の靴下において、
前記指股部が、隣り合う指袋間で連結される内側領域部と、当該内側領域部を包囲する外側領域部とからなり、
前記内側領域部の編目が、外側領域部の編目よりも大きいことを特徴とする靴下。
【考案の詳細な説明】
【技術分野】
【０００１】
この考案は、隣り合う指袋間の指股の通気性を向上した靴下に関するものである。
【背景技術】
【０００２】
従来の指袋を有する靴下は、横編機により無縫製で筒状に編成された指袋を有する靴下であって、指袋の少なくとも親指を挿入する第一指指袋または人差指を挿入する第二指指袋は、指の長さ方向への伸縮率が大きい編組織で編成された部分を有する。指の長さ方向への伸縮率が大きい編組織の部分がガーター編、または、リンクス編で形成され、指袋の指股部近くにおいて、帯状に全周に亘って形成される（例えば、特許文献１参照）。
【先行技術文献】
【特許文献】
【０００３】
【特許文献１】特開２００８−６３６９９号公報
【考案の概要】
【考案が解決しようとする課題】
【０００４】
しかしながら、従来の指袋を有する靴下は、第１実施形態及び第４実施形態に係る靴下において、指股の付け根に伸縮率が大きい編組織が存在しないため、指股の通気性を向上した靴下としては不十分であり、第３実施形態に係る靴下において、第一クッション部として指股の付け根に伸縮率が大きい編組織が広範囲に存在するため、強度が低くなり、第一クッション部と平編組織との境界で破れる虞があるという課題がある。
【０００５】
この考案は、上述のような課題を解決するためになされたもので、靴下の強度を保ちつつ、隣り合う指袋間の指股の通気性を向上した靴下を提供することを目的とする。
【課題を解決するための手段】
【０００６】
この考案に係る靴下においては、５つの指袋と、当該隣り合う指袋間の指股部と、指股部の付け根に配設され、ベース生地に対して編目が大きい編組織で編成される指股付根部を備えるものである。
【考案の効果】
【０００７】
この考案に係る靴下においては、靴下の強度を保ちつつ、隣り合う指袋間の指股の通気性を向上することができる。
【図面の簡単な説明】
【０００８】
【図１】（ａ）は第１の実施形態に係る右足用の靴下の概略構成を示す正面図であり、（ｂ）は図１（ａ）に示す靴下の背面図であり、（ｃ）は図１（ａ）に示す靴下の左側面図であり、（ｄ）は図１（ａ）に示す靴下の右側面図であり、（ｄ）は図１（ａ）に示す靴下の平面図であり、（ｅ）は図１（ａ）に示す靴下の底面図である。
【図２】（ａ）は図１に示す靴下の着用状態を示す正面図であり、（ｂ）は図１に示す靴下の着用状態を示す左前方より見た斜視図である。
【図３】（ａ）は第１の実施形態に係る右足用のつま先用靴下の概略構成を示す正面図であり、（ｂ）は図３（ａ）に示すつま先用靴下の背面図であり、（ｃ）は図３（ａ）に示すつま先用靴下の着用状態を示す正面図であり、（ｂ）は図３（ａ）に示すつま先用靴下の着用状態を示す左前方より見た斜視図である。
【図４】（ａ）は第２の実施形態に係る右足用の靴下の概略構成を示す正面図であり、（ｂ）は図４（ａ）に示す靴下の背面図であり、（ｃ）は図４（ａ）に示す靴下の左側面図であり、（ｄ）は図４（ａ）に示す靴下の右側面図であり、（ｅ）は図４（ａ）に示す靴下の平面図であり、（ｆ）は図４（ａ）に示す靴下の底面図である。
【図５】（ａ）は図４に示すつま先用靴下の着用状態を示す左前方より見た斜視図であり、（ｂ）はその他の実施形態に係る右足用の靴下の着用状態を示す正面図である。
【考案を実施するための形態】
【０００９】
（本考案の第１の実施形態）
本実施形態に係る靴下１００は、図１及び図２に示すように、足部１０、身部２０及び口ゴム部３０の三部に大別され、足部１０は、着用者のつま先に対応する爪先成形部分である爪先部１１と、着用者の踵に対応するかかと成形部分であるかかと部１２とを備える。
【００１０】
また、靴下１００の爪先部１１は、５つの指袋１と、当該隣り合う指袋１間の指股部２と、指股部２の一部であり、指股部２の付け根に配設され、ベース生地に対して編目が大きい編組織で編成される指股付根部３と、を備える。
また、本実施形態に係る足部１０は、着用者の第１中足骨、第２中足骨、第３中足骨、第４中足骨及び第５中足骨に対応する部分を周回し、足の横アーチをサポートする強伸縮部１３を備えている。
なお、本実施形態に係るベース生地は、指股付根部３、強伸縮部１３及び口ゴム部３０を除く領域であり、編目が連続して並び、表と裏の区別がある編地である平編地で編成されている。
また、本実施形態に係る強伸縮部１３及び口ゴム部３０は、たて方向に表目のウェールと裏目のウェールとが交互に並ぶ編目で、ゴム糸を編み込むのと編み込まないのをウェール毎に交互に繰り返す１×１ゴム編地で編成されている。
【００１１】
指袋１は、着用者の第１趾（親指）を挿入する第１指袋１ａと、着用者の第２趾（人差指）を挿入する第２指袋１ｂと、着用者の第３趾（中指）を挿入する第３指袋１ｃと、着用者の第４趾（薬指）を挿入する第４指袋１ｄと、着用者の第５趾（小指）を挿入する第５指袋１ｅと、からなる。
【００１２】
指股部２は、第１指袋１ａ及び第２指袋１ｂ間の第１指股部２ａと、第２指袋１ｂ及び第３指袋１ｃ間の第２指股部２ｂと、第３指袋１ｃ及び第４指袋１ｄ間の第３指股部２ｃと、第４指袋１ｄ及び第５指袋１ｅ間の第４指股部２ｄと、からなる。
【００１３】
指股付根部３は、第１指股部２ａの付け根に配設される第１指股付根部３ａと、第２指股部２ｂの付け根に配設される第２指股付根部３ｂと、第３指股部２ｃの付け根に配設される第３指股付根部３ｃと、第４指股部２ｄの付け根に配設される第４指股付根部３ｄと、からなる。
なお、本実施形態に係る第１指股付根部３ａ、第２指股付根部３ｂ、第３指股付根部３ｃ及び第４指股付根部３ｄは、略円形状の編地として靴下１００の足甲側及び足底側にそれぞれ編成される。
【００１４】
また、本実施形態に係る靴下１００は、左右方向に延在すると共に前後方向に互いに対向する前後一対の針床を有し、後針床が左右にラッキング可能であり、前後の針床間で編目の目移しが可能な横編機により編成される。
【００１５】
横編機は、前後の各針床においてそれぞれ１本おきの針を用いて靴下１００を編成し、前針床の奇数番目の針を主として靴下１００の足甲側の編地を編成するために用い、後針床の偶数番目の針を主として靴下１００の足底側の編地を編成するために用いる。
【００１６】
横編機は、前針床で足甲側の編地を編成する際に、前針床において編目が係止されている針と対向する後針床の針は空針とすると共に、後針床で足底側の編地を編成する際に、後針床において編目が係止されている針と対向する前針床の針は空針とする。
【００１７】
このように、横編機は、空針を設けることにより、足甲側及び足底側の編地の編目を、それぞれ対向する針床の空針に目移しすることができると共に、リンクス、ガーター又はリブなどの表目と裏目が混在した組織柄を編成することや、前後の編目を編幅方向に移動させて互いに接合することができる。
【００１８】
本実施形態に係る靴下１００は、第１指袋１ａの先端から編み始め、第１指袋１ａが第２指袋１ｂの先端の位置まで編成されると第２指袋１ｂの先端を編み始め、第１指袋１ａ及び第２指袋１ｂが第３指袋１ｃの先端の位置まで編成されると第３指袋１ｃの先端を編み始め、第１指袋１ａ、第２指袋１ｂ及び第３指袋１ｃが第４指袋１ｄの先端の位置まで編成されると第４指袋１ｄの先端を編み始め、第１指袋１ａ、第２指袋１ｂ、第３指袋１ｃ及び第４指袋１ｄが第５指袋１ｅの先端の位置まで編成されると第５指袋１ｅの先端を編み始めて、第１指袋１ａ〜第５指袋１ｅが並列に順次編成される。
【００１９】
そして、靴下１００は、第１指袋１ａが編成された後に第１指袋１ａ及び第２指袋１ｂが第１指股付根部３ａで接合され、第２指袋１ｂが編成された後に第２指袋１ｂ及び第３指袋１ｃが第２指股付根部３ｂで接合され、第３指袋１ｃが編成された後に第３指袋１ｃ及び第４指袋１ｄが第３指股付根部３ｃで接合され、第４指袋１ｄが編成された後に第４指袋１ｄ及び第５指袋１ｅが第４指股付根部３ｄで接合される。
この場合に、第１指股付根部３ａ、第２指股付根部３ｂ、第３指股付根部３ｃ及び第４指股付根部３ｄは、爪先部１１の平編地中にガーター編地で編成される。
【００２０】
そして、靴下１００は、足部１０の強伸縮部１３が１×１ゴム編地で編成され、足部１０のかかと部１２及び身部２０が平編地で編成されて、口ゴム部３０が１×１ゴム編地で編成されて、全体として無縫製で筒状に編成される。
【００２１】
以上のように、本実施形態に係る靴下１００は、ベース生地に対して編目が大きい編組織で編成される指股付根部３を備えることにより、指股付根部３の通気性を向上することができ、指股付根部３における菌が繁殖し易い高温多湿な環境を改善することができ、着用者の足白癬（足の水虫）の発生を抑制することができるという作用効果を奏する。
【００２２】
なお、本実施形態に係る靴下１００は、足部１０、身部２０及び口ゴム部３０を備える靴下１００について説明したが、図３に示すように、足部１０の爪先部１１及び口ゴム部３０を備え、足部１０のかかと部１２及び身部２０が存在しない、つま先用靴下であってもよい。
【００２３】
（本考案の第２の実施形態）
図４（ａ）は第２の実施形態に係る右足用の靴下の概略構成を示す正面図であり、図４（ｂ）は図４（ａ）に示す靴下の背面図であり、図４（ｃ）は図４（ａ）に示す靴下の左側面図であり、図４（ｄ）は図４（ａ）に示す靴下の右側面図であり、図４（ｅ）は図４（ａ）に示す靴下の平面図であり、図４（ｆ）は図４（ａ）に示す靴下の底面図である。図５（ａ）は図４に示すつま先用靴下の着用状態を示す左前方より見た斜視図であり、図５（ｂ）はその他の実施形態に係る右足用の靴下の着用状態を示す正面図である。図４及び図５において、図１乃至図３と同じ符号は、同一又は相当部分を示し、その説明を省略する。
【００２４】
なお、図４及び図５においては、指股部２及び指股付根部３を一体として指股部２として図示している。
本実施形態に係る指股部２（第１指股部２ａ、第２指股部２ｂ、第３指股部２ｃ、第４指股部２ｄ）は、ベース生地に対して編目が大きい編組織で編成される。
なお、本実施形態に係るベース生地は、指股部２、強伸縮部１３及び口ゴム部３０を除く領域であり、編目が連続して並び、表と裏の区別がある編地である平編地で編成されている。
【００２５】
第２の実施形態においては、ベース生地に対して編目が大きい編組織で編成される指股部２を備えるところのみが第１の実施形態と異なるところであり、指股部２による作用効果以外は、第１の実施形態と同様の作用効果を奏する。
【００２６】
本実施形態に係る靴下１００は、ベース生地に対して編目が大きい編組織で編成される指股部２を備えることにより、指股部２の通気性を向上することができ、着用者の足白癬の発生を抑制することができると共に、着用者の指股間における生地のごわつきを解消し、靴下１００の着用感を向上することができるという作用効果を奏する。
【００２７】
なお、本実施形態に係る靴下１００は、各指股部２（第１指股部２ａ、第２指股部２ｂ、第３指股部２ｃ、第４指股部２ｄ）を同一の編組織で編成しているが、各指股部２を複数の編組織から編成してもよい。
例えば、指股部２は、図５（ｂ）に示すように、隣り合う指袋１（第１指袋１ａ、第２指袋１ｂ、第３指袋１ｃ、第４指袋１ｄ、第５指袋１ｅ）間で連結される内側領域部４ａと、当該内側領域部４ａを包囲する外側領域部４ｂとからなり、内側領域部４ａの編目が、外側領域部４ｂの編目よりも大きい編組織としてもよい。
この場合に、靴下１００は、ベース生地から外側領域部４ｂを介して内側領域部４ａにかけて、編目の大きさが段階的に大きくなっているために、外側領域部４ｂがベース生地及び内側領域部４ａ間の緩衝材として機能し、ベース生地から同一の編組織の指股部２に至る場合と比較して、ベース生地と指股部２との境界における破れの発生を防止することができるという作用効果を奏する。
【符号の説明】
【００２８】
１      指袋
１ａ    第１指袋
１ｂ    第２指袋
１ｃ    第３指袋
１ｄ    第４指袋
１ｅ    第５指袋
２      指股部
２ａ    第１指股部
２ｂ    第２指股部
２ｃ    第３指股部
２ｄ    第４指股部
３      指股付根部
３ａ    第１指股付根部
３ｂ    第２指股付根部
３ｃ    第３指股付根部
３ｄ    第４指股付根部
４ａ    内側領域部
４ｂ    外側領域部
１０    足部
１１    爪先部
１２    部
１３    強伸縮部
２０    身部
３０    口ゴム部
１００  靴下
【図１】
0003190956.tif 000003
【図２】
0003190956.tif 000004
【図３】
0003190956.tif 000005
【図４】
0003190956.tif 000006
【図５】
0003190956.tif 000007